(57)【要約】【課題】利用者の預金残高、取引金額及び金融商品等の取引に応じて、適切な募金金額を提示し、募金への誘導を行う自動取引装置及び自動取引システムを提供する事を目的とする。【解決手段】表示処理部と、上位装置と通信を行う通信部と、各部を制御する制御部とを備える自動取引装置であって、前記通信部において、前記自動取引装置の利用者に対して、前記上位装置で予め定められた第一の口座に入金させる旨の画面の表示指示と、前記利用者の口座である第二の口座の残高及び前記利用者の取引内容に応じて算出された前記第一の口座への入金金額と、を受信後、前記制御部は、前記表示処理部に、前記画面と前記第一の口座への入金金額とを表示させることを特徴とする。【選択図】図３
2013196656.tif 000002
【特許請求の範囲】
【請求項１】
表示処理部と、上位装置と通信を行う通信部と、各部を制御する制御部とを備える自動取引装置であって、
前記通信部において、前記自動取引装置の利用者に対して、前記上位装置で予め定められた第一の口座に入金させる旨の画面の表示指示と、前記利用者の口座である第二の口座の残高及び前記利用者の取引内容に応じて算出された前記第一の口座への入金金額と、を受信後、
前記制御部は、前記表示処理部に、前記画面と前記第一の口座への入金金額とを表示させることを特徴とする自動取引装置。
【請求項２】
請求項１に記載された自動取引装置であって、
前記第二の口座の残高の桁数に応じて、前記第一の口座への入金金額の桁数を変更することを特徴とする自動取引装置。
【請求項３】
請求項１または請求項２に記載された自動取引装置であって、
前記利用者の取引処理とは、前記第二の口座の口座残高の照会であることを特徴とする自動取引装置。
【請求項４】
請求項１または請求項２に記載された自動取引装置であって、
前記利用者の取引処理とは、前記第二の口座への入金処理又は前記第二の口座からの出金処理であることを特徴とする自動取引装置。
【請求項５】
請求項１または請求項２に記載された自動取引装置であって、
前記利用者の取引処理とは、金融商品の取引処理であることを特徴とする自動取引装置。
【請求項６】
請求項１〜５のいずれか一つに記載された自動取引装置であって、
前記画面において、前記第一の口座に入金させることが指定された場合、
前記通信部は、前記第二の口座の残高から前記第一の口座への入金金額を減じ、前記第一の口座に前記第一の口座への入金金額を加える旨の指示を、前記上位装置に送信することを特徴とする自動取引装置。
【請求項７】
自動取引装置と、データベースと、前記自動取引装置及び前記データベースと接続する上位装置とを備える自動取引システムであって、
前記自動取引装置は、表示処理部を備え、
前記上位装置は、前記自動取引装置の利用者に対して、前記データベースに記録された口座のうち、前記上位装置で予め定められた第一の口座に入金させる旨の画面を表示させる第一の指示と、前記データベースに記録された第一の口座とは異なる第二の口座の残高及び該第二の口座の利用者の取引処理に応じて算出された前記第一の口座への入金金額と、を前記自動取引装置に送信することを特徴とする自動取引システム。
【請求項８】
請求項７に記載された自動取引装置であって、
前記自動取引装置は、前記第一の指示と前記第一の口座への入金金額とを受信後、前記表示処理部に、前記画面と前記第一の口座への入金金額とを表示し、前記画面において、前記第一の口座に入金させることが指定された場合、前記第二の口座の残高から前記第一の口座への入金金額を減じ、前記第一の口座に前記第一の口座への入金金額を加える第二の指示を、前記上位装置に送信し、
前記上位装置は、前記第二の指示を受信後、前記第二の口座の残高から前記第一の口座への入金金額を減じ、前記第一の口座に前記第一の口座への入金金額を加えることを特徴とする自動取引システム。
【発明の詳細な説明】
【技術分野】
【０００１】
本発明は、自動取引装置及び自動取引システムに関する。
【背景技術】
【０００２】
本技術分野の背景技術として、特許文献１には、顧客の操作に従って現金取引や口座取引等の取引処理を実行する自動取引装置の流れの中に、顧客の選択により募金口座への入金を実行する募金処理を組み込むことが記載されている。また、特許文献２には、簡易な操作で迅速に顧客が所望する予め登録された募金先に募金を行う事を実現する自動取引装置及び方法を提供することが記載されている。
【先行技術文献】
【特許文献】
【０００３】
【特許文献１】特開平１１−１６７５９８号公報
【特許文献２】特開平１１−２７２７６６号公報
【発明の概要】
【発明が解決しようとする課題】
【０００４】
特許文献１の場合、金融機関等に設置される自動取引装置（以下、「ＡＴＭ」とする。）において支払取引が行われると、口座残高の有無を判定し、口座残高がある場合、募金選択画面を顧客操作画面に表示することが記載されている。利用者が当該画面より募金対象を選択した場合、選択内容に応じた募金処理に移行し、指定された金額を口座残高の中から差し引き、募金対象の口座へ入金処理を行う。しかし、利用者が募金額を指定しなければならず、事前に利用者が募金額を考えていない場合は、募金額を検討するための時間が必要となる。そのため、ＡＴＭ滞在時間が増加する可能性がある。また、募金額を画面で指定する際に操作を誤ることで、ＡＴＭ滞在時間が増加することも想定される。
【０００５】
また、特許文献２の場合、顧客待ち画面に表示された「募金取引」ボタンが押下されると、募金対象の選択画面と募金額の入力画面とを顧客操作画面に表示し、利用者の選択内容に応じた募金処理が行われることが記載されている。しかし、顧客待ち画面に「募金取引」ボタンを表示するため、募金の意思がある利用者以外が「募金選択」ボタンを押下する可能性は低い。
【０００６】
本発明は上述した問題点を鑑み、利用者の預金残高、取引金額及び金融商品等の取引に応じて、適切な募金金額を提示し、募金への誘導を行う自動取引装置及び自動取引システムを提供する事を目的とする。
【課題を解決するための手段】
【０００７】
上述した課題を解決するために、本発明は以下の構成を採用する。すなわち、表示処理部と、上位装置と通信を行う通信部と、各部を制御する制御部とを備える自動取引装置であって、前記通信部において、前記自動取引装置の利用者に対して、前記上位装置で予め定められた第一の口座（募金口座）に入金させる旨の画面の表示指示と、前記利用者の口座である第二の口座の残高及び前記利用者の取引内容に応じて算出された前記第一の口座への入金金額と、を受信後、前記制御部は、前記表示処理部に、前記画面と前記第一の口座への入金金額とを表示させることを特徴とする。
【発明の効果】
【０００８】
本発明によれば、利用者の口座残高及び利用者の取引内容から算出された、適切な募金金額を含む、募金案内画面をＡＴＭに画面表示させることを可能としている。そのため、利用者に対する募金への誘導が可能となる。
【図面の簡単な説明】
【０００９】
【図１】ＡＴＭの外観図である。
【図２】自動取引システムの機能ブロック図である。
【図３】実施例１における処理を示すフローチャートである。
【図４】募金算出テーブルを決定する処理を示すフローチャートである。
【図５】実施例１における募金算出テーブルを示す図である。
【図６】実施例１における募金算出テーブルを示す図である（別例）。
【図７】募金案内画面を示す図である。
【図８】実施例２における処理を示すフローチャートである（入金額の場合）。
【図９】実施例２における募金算出テーブルを示す図である（出金額の場合）。
【図１０】実施例２における募金算出テーブルを示す図である。
【図１１】実施例３における処理を示すフローチャートである。
【図１２】実施例３における募金算出テーブルを示す図である。
【発明を実施するための形態】
【実施例１】
【００１０】
本実施例について、図１〜図７を用いて詳細に説明する。なお、本実施例では、残高照会の他に現金取引が発生しないことを想定している。
【００１１】
図１は、ＡＴＭ１００の外観図である。ＡＴＭ１００の接客部には、通帳処理部１０１、カード処理部１０２、硬貨処理部１０３、紙幣処理部１０４、タッチパネル１０５が設けられている。
【００１２】
通帳処理部１０１は、通帳挿入口１０１ａを介して、取引時に使用される通帳の挿入及び排出を実行する。また、印字部（図示せず）により、挿入された通帳への印字を実行する。さらに、磁気ヘッド（図示せず）により、通帳に貼付された磁気ストライブの情報の読取や、磁気ストライプへの情報の書込を実行する。
【００１３】
カード処理部１０２は、カード挿入口１０２ａを介して、取引時に使用されるキャッシュカード等の挿入及び排出を実行する。また、磁気ヘッド又はＩＣチップのリーダライタ（図示せずにより）、カードに付加された磁気ストライブ又はＩＣチップの情報の読取や、磁気ストライブ又はＩＣチップへの情報の書込を実行する。
【００１４】
硬貨処理部１０３は、硬貨入出金口１０３ａを介して、硬貨の入出金処理、鑑別処理等を実行する。また、紙幣処理部１０４は、紙幣入出金口１０４ａを介して、紙幣の入出金処理、鑑別処理等を実行する。タッチパネル１０５は、表示処理部としての機能を有しており、取引情報を表示すると共に顧客の操作により取引情報の入力を受け付ける。
【００１５】
なお、ＡＴＭ１００の操作部には、視覚障害者、高齢者等の利用に供するハンドセット、生体認証用の生体情報読取装置等を設けてもよい。
【００１６】
図２は、自動取引システムの機能ブロック図である。複数のＡＴＭ１０１ａ〜ｅと、上位装置であるホストコンピュータ２００ａとは、ネットワーク２０１を介して接続されている。なお、図２では、５つのＡＴＭ１００が接続された状態を示しているが、接続されるＡＴＭ１００の数は任意とする。
【００１７】
ＡＴＭ１００（図２では、ＡＴＭ１００ａを例として説明する）には、上述した通帳処理部１０１、カード処理部１０２、硬貨処理部１０３、紙幣処理部１０４、タッチパネル１０５の他に、ホストコンピュータ２００ａと通信を行う通信部１０６と、各部を制御するための制御部１０７とを設けられている。
【００１８】
ホストコンピュータ２００ａは、利用者の情報を記録するデータベース２００ｂと接続されており、取引毎にＡＴＭから取引通知や媒体情報等を受信し、データベース２００ｂから取得した利用者の情報等をＡＴＭに送信する。また、データベース２００ｂには、利用者の口座残高情報（口座残高、口座残高の変動値等）や、利用者の取扱金融商品等の情報が記憶されている。
【００１９】
以下、図３に示すフローチャートを用いて、本実施例における処理（利用者が残高照会を実施した場合）について説明する。最初に、制御部１０７は、タッチパネルに顧客待ち画面（図示せず）を表示する。この顧客待ち画面には、ホストコンピュータ２００ａに接続されたデータベース２００ｂに記録されている、利用者の口座残高を確認するための「残高照会ボタン」を有するものとする。
【００２０】
利用者により残高照会ボタンが押下されたことを判断し（ステップ３０１）、媒体（通帳又はカード）が挿入されたことを判断した後（ステップ３０２）、制御部１０７は、タッチパネル１０５に暗証番号入力画面（図示せず）を表示する。利用者により暗証番号が入力されたことを判断した後（ステップ３０３）、制御部１０７は、ホストコンピュータ２００ａに対して、顧客情報の照会及び「イベント募金」有無の確認を実行する（ステップ３０４）。ここで、「イベント募金」とは、震災等の復興支援等短期間で多額の募金が必要なものとする。
【００２１】
「イベント募金」がある場合（ステップ３０４：ＹＥＳ）、ホストコンピュータ２００ａは、データベース２００ｂに記録された利用者の口座残高情報を照会し、口座残高の有無を確認する（ステップ３０５）。口座残高がある場合（ステップ３０５：ＹＥＳ）、ホストコンピュータ２００ａは、口座残高の値及び桁数と、口座残高の変動値とを確認する（ステップ３０６）。ここで、口座残高の変動値とは、残高照会時を終期とする所定期間（例：残高照会１ヶ月前〜残高照会実施時）の口座残高の最大値と、残高照会時の残高との差分値を示す。なお、所定期間の口座残高の最大値は、ホストコンピュータ２００ａにより、定期的に確認されるものとする。
【００２２】
ステップ３０６において取得された口座残高の桁数を基に、ホストコンピュータ２００ａは、図示しない記憶部に記録された募金算出テーブルを確認し（ステップ３０７）、口座残高の桁数と口座残高の変動値とを基に、募金金額の算出を行う（ステップ３０８）。
【００２３】
図４は、ステップ３０７において、募金算出テーブルを決定する処理を示すフローチャートである。ステップ３０６にて確認された口座残高の桁数を判断する。預金残高が１桁〜３桁の場合（ステップ４０１：ＹＥＳ）、募金算出テーブルＡに従い募金額を算出する（ステップ４０２）。預金残高が４桁〜６桁の場合（ステップ４０３：ＹＥＳ）、募金算出テーブルＢに従い募金額を算出する（ステップ４０４）。預金残高が７桁以上の場合（ステップ４０３：ＮＯ）、募金算出テーブルＣに従い募金額を算出する（ステップ４０５）。なお、図４のフローチャートは、後述する実施例２、３についても適用可能である。
【００２４】
以下、ステップ３０８における募金金額の算出について詳細に説明する。本実施例の場合、口座残高の変動値から、該当する募金算出テーブルの該当エリアに相当する募金桁数を、口座残高の端数とみなし、当該端数を募金額金額とする。
【００２５】
図５は、募金算出テーブルＡ、Ｂ、Ｃを示す図である。募金算出テーブル５０１〜５０３は、口座残高が高く、かつ口座残高の変動値がプラスに大きい程、募金桁数を大きく設定している。例えば、口座残高が７，６５４，３２１円、変動値Ｘが１９，０００である場合、募金算出テーブルＣ５０３を用いて募金金額を算出する。このとき、口座残高の変動値Ｘは、「Ｘ＞１０，０００」であるため、エリアＣ−１の募金桁数「４」が用いられ、募金金額を４，３２１円とする。
【００２６】
図６は、図５とは異なる募金算出テーブルＡ、Ｂ、Ｃの一例を示す図である。募金算出テーブル６０１〜６０３は、口座残高が高く、かつ口座残高の変動値の絶対値が大きい程、募金桁数を大きく設定した例である。例えば、口座残高が５４，３２１円、変動値Ｘが３００である場合、募金算出テーブルＢ６０２を用いて募金金額を算出する。このとき、口座残高の変動値Ｘは、「１００≦Ｘ＜１０，０００」であるため、エリアＢ−２の募金桁数「２」が用いられ、募金金額を２１円とする。なお、募金算出テーブルＡ、Ｂ、Ｃの募金桁数は自由に設定可能なものとする。
【００２７】
図３に戻り、ステップ３０８において算出された募金金額が１円以上である場合(ステップ３０９：ＹＥＳ)、ホストコンピュータ２００ａは、ＡＴＭ１００に対して、口座残高と、算出された募金金額を含む募金案内画面の表示指示とを通知する（ステップ３１０）。
【００２８】
口座残高と、算出された募金金額を含む募金案内画面の表示指示とを受信したＡＴＭ１００において、制御部１０７は、タッチパネル１０５に口座残高を表示する（ステップ３１１）。口座残高の表示終了後、算出された募金金額を含む募金案内画面の表示指示があった場合（ステップ３１２：ＹＥＳ）、図７に示すような募金案内画面７００をタッチパネル１０５に表示する（ステップ３１３）。
【００２９】
募金案内画面７００には、募金誘導フィールド７０１と、募金金額を手入力するための「募金する」ボタン７０２と、募金を行わないための「募金しない」ボタン７０３が表示される。募金誘導フィールド７０１には、募金金額７０１ａと、募金金額７０１ａに相当する金額を入力するための「募金する」ボタン７０１ｂと、募金後の残高７０１ｃとを表示する。
【００３０】
「募金する」ボタン７０１ｂには、募金金額７０１ａを併せて表示するものとし、利用者が「募金する」ボタン７０１ｂを押下することにより、表示された募金金額が口座残高から募金対象の口座に入金される。なお、募金対象の口座については、ホストコンピュータ２００ａで指定されるものとする。
【００３１】
上記のように、「募金する」ボタン７０１ｂに募金金額７０１ａを併せて表示することにより、募金目的でＡＴＭを利用していない利用者に対しても、募金金額が表示されていない募金案内画面に比べて募金へ誘導する機会が増加する。また、募金後の残高７０１ｃが表示されることにより、利用者は、募金誘導フィールド７０１の募金金額７０１ａが口座残高の端数を示していることを容易に把握することが可能である。
【００３２】
募金金額を手入力するための「募金する」ボタン７０２は、募金金額７０１ａに表示された金額と異なる金額を募金したい場合に選択されることを想定したものである。
【００３３】
一方、募金を希望しない利用者は、「募金しない」ボタン７０３を押下する（又は、一定時間何も操作しないこと）により、募金の意思は無いものとして、取引終了となる。
【００３４】
図３に戻り、募金案内画面７００において、利用者により、「募金する」ボタン７０１ａが選択された場合（ステップ３１４：ＹＥＳ）、制御部１０７は、ホストコンピュータ２００ａに対して募金指示を通知する（ステップ３１５）。募金指示の通知を受信後、ホストコンピュータ２００ａは、算出された募金金額を利用者の口座残高から減算し、募金対象の口座に当該募金金額を加算する（ステップ３１６）。ステップ３１６の処理により、募金が行われたことになる。その後、ホストコンピュータ２００ａは、ＡＴＭ１００に対して募金完了を通知する（ステップ３１７）、募金完了を受信したＡＴＭ１００において、制御部１０７は、媒体を排出することで取引完了とする（ステップ３１８）。
【００３５】
なお、「イベント募金」がない場合（ステップ３０４：ＮＯ）、利用者の口座残高が無い場合（ステップ３０５：ＮＯ）、及び算出された募金金額が０円である場合（ステップ３０９：ＮＯ）は、ホストコンピュータ２００ａによる募金金額の算出を実施せず、ＡＴＭ１００に対して、募金金額と募金案内画面とを表示しない指示を通知する（ステップ３１９）。なお、ステップ３１９において、募金金額と募金案内画面とを表示しない指示の代わりに、募金金額を表示しない募金案内画面（募金誘導フィールド６０１を表示しない募金案内画面）の表示指示を通知しても良い。
【００３６】
以上のように、利用者の口座残高及び口座残高の変動値から算出された、適切な募金金額を含む募金案内画面を、ＡＴＭ１００のタッチパネル１０５に表示することを可能としている。これにより、利用者が募金額を指定する必要の無い迅速な募金が可能となり、ＡＴＭ滞在時間が短縮される。また、募金額を指定する際の誤操作が減少する。
【実施例２】
【００３７】
本実施例について、図８〜図１０を用いて詳細に説明する。なお、本実施例では、利用者がＡＴＭで入金・出金等の現金取引を実施した場合を想定している。また、本実施例におけるＡＴＭ、自動取引システムの構成、募金算出テーブルを決定する処理、及び募金案内画面は、それぞれ図１、図２、図４、図７と同一であるため、詳細な説明は省略する。
【００３８】
以下、図８に示すフローチャートを用いて、本実施例における処理（利用者が現金取引を実施した場合）について説明する。最初に、制御部１０７は、タッチパネルに顧客待ち画面（図示せず）を表示する。利用者により入金ボタン又は出金ボタンが押下されたことを判断し（ステップ８０１）、媒体（通帳又はカード）が挿入されたことを判断した後（ステップ８０２）、制御部１０７は、タッチパネル１０５に暗証番号入力画面（図示せず）を表示する。利用者により暗証番号が入力されたことを判断した後（ステップ８０３）、制御部１０７は、入金取引又は出金取引を実行する（ステップ８０４）。また、ステップ８０４において、制御部１０７は、ホストコンピュータ２００ａに対して、入金又は出金の通知と、「イベント募金」有無の確認とを実行する（ステップ８０４）。
【００３９】
「イベント募金」がある場合（ステップ８０５：ＹＥＳ）、ホストコンピュータ２００ａは、データベース２００ｂに記録された利用者の口座残高情報を照会し、口座残高の有無を確認する（ステップ８０６）。口座残高がある場合（ステップ８０６：ＹＥＳ）、ホストコンピュータ２００ａは、口座残高の値及び桁数と、取引金額（入金金額又は出金金額）とを確認する（ステップ８０７）。
【００４０】
ステップ８０７において取得された口座残高の桁数を基に、ホストコンピュータ２００ａは、図示しない記憶部に記録された募金算出テーブルを確認し（ステップ８０８）、口座残高の桁数と取引金額とを基に、募金金額の算出を行う（ステップ８０９）。なお、募金算出テーブルを決定する処理は実施例１（図４）の場合と同様である。
【００４１】
以下、ステップ８０９における募金金額の算出について詳細に説明する。本実施例の場合、取引金額から該当する募金算出テーブルの該当エリアに相当する募金桁数を、口座残高の端数とみなし、当該端数を募金額金額とする。
【００４２】
図９は、募金算出テーブルＡＤ、ＢＤ、ＣＤ、図１０は、募金算出テーブルＡＷ、ＢＷ、ＣＷを示す図である。募金算出テーブルＡＤ９０１、ＢＤ９０２、ＣＤ９０３は、入金取引時に用いる募金算出テーブルであり、取引金額が大きい程、募金桁数を大きく設定している。一方、募金算出テーブルＡＷ１００１、ＢＷ１００２、ＣＷ１００３は、出金取引時に用いる募金算出テーブルであり、取引金額が小さい程、募金桁数を大きく設定している。このように、入金取引時と出金取引時とで募金桁数の設定方法を変更する理由は、●●●●●●●●●●●●●である。例えば、口座残高が７，６５４，３２１円、入金額Ｘが８，０００である場合、募金算出テーブルＣＤ９０３を用いて募金金額を算出する。このとき、入金額Ｘは、「Ｘ＜１０，０００」であるため、エリアＣＤ−２の募金桁数「２」が用いられ、募金金額を２１円とする。なお、募金算出テーブルＡＤ、ＢＤ、ＣＤ、ＡＷ、ＢＷ、ＣＷの募金桁数は自由に設定可能なものとする。
【００４３】
図８に戻り、ステップ８０９において算出された募金金額が１円以上である場合(ステップ８１０：ＹＥＳ)、ホストコンピュータ２００ａは、ＡＴＭ１００に対して、口座残高と、算出された募金金額を含む募金案内画面の表示指示とを通知する（ステップ８１１）。
【００４４】
口座残高と、算出された募金金額を含む募金案内画面の表示指示とを受信したＡＴＭ１００において、制御部１０７は、タッチパネル１０５に口座残高を表示する（ステップ８１２）。口座残高の表示終了後、算出された募金金額を含む募金案内画面の表示指示があった場合（ステップ８１３：ＹＥＳ）、募金案内画面７００をタッチパネル１０５に表示する（ステップ８１４）。
【００４５】
募金案内画面７００において、利用者により「募金する」ボタン７０１ａが選択された場合（ステップ８１５：ＹＥＳ）、制御部１０７は、ホストコンピュータ２００ａに対して募金指示を通知する（ステップ８１６）。募金指示の通知を受信後、ホストコンピュータ２００ａは、算出された募金金額を利用者の口座残高から減算し、募金対象の口座に当該募金金額を加算する（ステップ８１７）。ステップ８１７の処理により、募金が行われたことになる。その後、ホストコンピュータ２００ａは、ＡＴＭ１００に対して募金完了を通知する（ステップ８１８）、募金完了を受信したＡＴＭ１００において、制御部１０７は、媒体を排出することで取引完了とする（ステップ８１９）。
【００４６】
なお、「イベント募金」がない場合（ステップ８０５：ＮＯ）、利用者の口座残高が無い場合（ステップ８０６：ＮＯ）、及び算出された募金金額が０円である場合（ステップ８１０：ＮＯ）は、ホストコンピュータ２００ａによる募金金額の算出を実施せず、ＡＴＭ１００に対して、募金金額と募金案内画面とを表示しない指示を通知する（ステップ８２０）。
【００４７】
以上のように、実施例２の場合、利用者の口座残高及び入金取引又は出金取引の金額から算出された適切な募金金額を含む、募金案内画面をＡＴＭ１００のタッチパネル１０５に表示することを可能としている。
【実施例３】
【００４８】
本実施例について、図１１、図１２を用いて詳細に説明する。なお、本実施例では、利用者がＡＴＭで金融商品等の取引を実施した場合を想定している。また、本実施例におけるＡＴＭ、自動取引システムの構成、募金算出テーブルを決定する処理、及び募金案内画面は、実施例２と同様、それぞれ図１、図２、図４、図７と同一であるため、詳細な説明は省略する。
【００４９】
また、図１１に示した本実施例における処理（金融商品等の取引を実施した場合）のフローチャートであるが、実施例２における処理を示したフローチャート（図８）のステップ８０１〜８２０とほぼ同様であるため、詳細な説明は省略する。なお、異なる点としては、（１）ステップ１１０４：制御部１０７は、金融商品の取引を開始する点、（２）ステップ１１０７：ホストコンピュータ２００ａは、口座残高の値及び桁数と、取引金融商品とを確認する点、（３）ステップ１１０９：募金金額の算出方法、の三点である。
【００５０】
以下、ステップ１１０９における募金金額の算出について詳細に説明する。本実施例の場合、取引金額から該当する募金算出テーブルの該当エリアに相当する募金桁数を、口座残高の端数とみなし、当該端数を募金額金額とする。
【００５１】
図１２は、募金算出テーブルＡＦ、ＢＦ、ＣＦを示す図である。募金算出テーブル１２０１〜１２０３は、金融商品の種別に応じて、募金桁数を変更している。例えば、金融商品Ａ（例：●●●●）では、●●●のため募金桁数を大きく設定し、金融商品Ｄ（例：●●●●）では、●●●のため募金桁数を小さく設定する。また、金融商品Ｂ，Ｃ（例：●●●●）では、●●●のため募金桁数を、金融商品Ａと金融商品Ｄとの中間とする。例えば、口座残高が７，６５４，３２１円、取引金融商品がＣである場合、募金算出テーブルＣＦ１２０３を用いて募金金額を算出する。このとき、取引金融商品がＣに対応するエリアＣＦ−２の募金桁数「３」が用いられ、募金金額を３２１円とする。なお、募金算出テーブルＡＤ、ＢＤ、ＣＤ、ＡＷ、ＢＷ、ＣＷの募金桁数は自由に設定可能なものとする。
【００５２】
以上のように、実施例３の場合、利用者の口座残高及び利用者の取引金融商品から算出された適切な募金金額を含む、募金案内画面をＡＴＭ１００のタッチパネル１０５に表示することを可能としている。
【００５３】
また、いずれの実施例においても、ＡＴＭの利用者に対して募金金額を算出して表示させるため、特に潜在的に募金の意思がある利用者や、募金の意思が高くない利用者に対しても募金させることが期待できる。
【符号の説明】
【００５４】
１００：ＡＴＭ、１０１：通帳処理部、１０２：カード処理部、１０３：硬貨処理部、１０４：紙幣処理部、１０５：タッチパネル、２００ａ：ホストコンピュータ、２００ｂ：データベース、７００：募金案内画面、５０１〜５０３、６０１〜６０３、９０１〜９０３、１００１〜１００３、１２０１〜１２０３：募金算出テーブル
【図１】
2013196656.tif 000003
【図２】
2013196656.tif 000004
【図３】
2013196656.tif 000005
【図４】
2013196656.tif 000006
【図５】
2013196656.tif 000007
【図６】
2013196656.tif 000008
【図７】
2013196656.tif 000009
【図８】
2013196656.tif 000010
【図９】
2013196656.tif 000011
【図１０】
2013196656.tif 000012
【図１１】
2013196656.tif 000013
【図１２】
2013196656.tif 000014